(57)【要約】  クリーニング手段の保管にかかるスペースが増加することを防止でき、かつ読み取り部からの異物の除去にかかる手間や時間が増加することを防止できる記録媒体再生装置を提供する。  ＣＤプレーヤ１はディスク再生部を備え、該ディスク再生部はピックアップ再生部５５とディスク検知機構９１を備えている。前記ピックアップ再生部５５はＣＤ２の情報記録面と相対するレンズ７８を有して、ＣＤ２から情報を読み出す光ピックアップ６６を備えている。前記ディスク検知機構９１はディスク検知アーム９２を備え、該ディスク検知アーム９２にはクリーニング部材９４が取り付けられている。前記光ピックアップ６６が情報の読み出しを停止している時に、前記ディスク検知アーム９２の移動により、前記クリーニング部材９４を前記レンズ７８に摺接させて該レンズ７８に付着した異物を除去する。【特許請求の範囲】
【請求項１】
記録媒体の情報記録面と相対する読み取り部を有して、前記記録媒体の情報を読み出す情報読み取りユニットと、
前記情報読み取りユニットの読み出し停止時に、情報読み取りユニットに対して相対的に移動する移動部材と、
を備えた記録媒体再生装置において、
前記移動部材に取り付けられて、該移動部材が前記情報読み取りユニットに対して相対的に移動する際に、前記読み取り部に摺接して、該読み取り部に付着した異物を除去するクリーニング部材を備えたことを特徴とする記録媒体再生装置。
【請求項２】
前記クリーニング部材が、不織布で構成され、
前記情報読み取りユニットが前記記録媒体からの情報の読み出しを停止している時でかつ前記移動部材が前記情報読み取りユニットに対して相対的に停止している際に、前記クリーニング部材が前記読み取り部に重なる位置に、前記情報読み取りユニットを位置付ける位置付け手段を備えたことを特徴とする請求項１記載の記録媒体再生装置。
【請求項３】
前記クリーニング部材が、ブラシ状に形成され、
前記情報読み取りユニットが前記記録媒体からの情報の読み出しを停止している時でかつ前記移動部材が前記情報読み取りユニットに対して相対的に停止している際に、前記読み取り部が前記クリーニング部材と間隔をあける位置に、前記情報読み取りユニットを位置付ける位置付け手段を備えたことを特徴とする請求項１記載の記録媒体再生装置。
【請求項４】
記録媒体の情報記録面と相対する読み取り部を有して、前記記録媒体の情報を読み出す情報読み取りユニットと、
前記情報読み取りユニットの読み出し停止時に、前記情報を読み出すための準備動作を行う準備動作部材と、
を備えた記録媒体再生装置であって、
前記準備動作部材に取り付けられたクリーニング部材を有し、
前記準備動作のための前記準備動作部材の移動を利用することにより前記クリーニング部材が前記読み取り部に摺接して該読み取り部に付着した異物を除去することを特徴とする記録媒体再生装置。
【発明の詳細な説明】
【技術分野】
【０００１】
本発明は、例えば、ＣＤなどのディスク形記録媒体を機器本体内に収容し、この記録媒体に記録された情報を再生する記録媒体再生装置に関する。
【背景技術】
【０００２】
例えば、コンパクトディスク（以下、ＣＤと記す）などのディスク形記録媒体を収容し、このディスク形記録媒体の情報を再生する記録媒体再生装置が用いられている。この種の記録媒体再生装置は、例えば、自動車などに搭載されるとともに、機器本体と、クランプ部と、光ピックアップなどを備えている。【０００３】
機器本体は、扁平な箱状に形成されている。クランプ部は、ディスク形記録媒体をクランプして、該ディスク形記録媒体を回転させる。光ピックアップは、ディスク形記録媒体の情報記録面に向かってレーザ光を出射するレンズ（読み取り部に相当）を備えており、該レンズからクランプ部がクランプして回転させたディスク形記録媒体に向けてレーザ光を出射することで、該ディスク形記録媒体から情報を読み出す。【０００４】
前述した構成の記録媒体再生装置は、光ピックアップを用いてディスク形記録媒体からの情報の読み出しを繰り返し行うと、前述したレンズに異物が付着して、該レンズが汚れることがあった。【０００５】
従来の記録媒体再生装置では、例えば、専用のクリーニングカートリッジを機器本体内に挿入して、該クリーニングカートリッジでレンズから異物を除去することがあった。また、従来の記録媒体再生装置では、レンズから異物を除去するための専用のクリーニング装置を内蔵する場合もあり、この場合、ディスク形記録媒体から情報の読み出していない間に該クリーニング装置を用いて、レンズから異物を除去してきた。
【発明の開示】
【発明が解決しようとする課題】
【０００６】
しかしながら、前述したようにクリーニングカートリッジを用いる際には、該クリーニングカートリッジが必要となって、該クリーニングカートリッジを保管する必要があって、保管にかかるスペースが増加する傾向であった。【０００７】
また、クリーニングカートリッジを機器本体に挿入して、レンズからの異物の除去を行った後、再度クリーニングカートリッジを機器本体外に排出する必要があった。このように、レンズから異物を除去するためには、クリーニングカートリッジを機器本体に出し入れする必要があり、レンズからの異物を除去する作業にかかる手間や時間が増加する傾向であった。【０００８】
さらに、記録媒体再生装置がクリーニング装置を内蔵した場合では、レンズから異物を除去する際には、専用のクリーニング装置が動作して、他の装置などを停止させる必要があって、レンズからの異物を除去する作業にかかる時間が増加する傾向であった。【０００９】
本発明の目的は、例えば、クリーニング手段の保管にかかるスペースが増加することを防止でき、かつ読み取り部からの異物の除去にかかる手間や時間が増加することを防止できる記録媒体再生装置を提供することにある。
【課題を解決するための手段】
【００１０】
前記課題を解決し目的を達成するために、請求項１に記載の本発明の記録媒体再生装置は、記録媒体の情報記録面と相対する読み取り部を有して、前記記録媒体の情報を読み出す情報読み取りユニットと、前記情報読み取りユニットの読み出し停止時に、情報読み取りユニットに対して相対的に移動する移動部材と、を備えた記録媒体再生装置において、前記移動部材に取り付けられて、該移動部材が前記情報読み取りユニットに対して相対的に移動する際に、前記読み取り部に摺接して、該読み取り部に付着した異物を除去するクリーニング部材を備えたことを特徴としている。【００１１】
請求項４に記載の本発明の記録媒体再生装置は、記録媒体の情報記録面と相対する読み取り部を有して、前記記録媒体の情報を読み出す情報読み取りユニットと、前記情報読み取りユニットの読み出し停止時に、前記情報を読み出すための準備動作を行う準備動作部材と、を備えた記録媒体再生装置であって、前記準備動作部材に取り付けられたクリーニング部材を有し、前記準備動作のための前記準備動作部材の移動を利用することにより前記クリーニング部材が前記読み取り部に摺接して該読み取り部に付着した異物を除去することを特徴としている。
【図面の簡単な説明】
【００１２】
【図１】本発明の第１の実施例にかかる記録媒体再生装置としてのＣＤチェンジャの外観を示す斜視図である。
【図２】図１に示されたＣＤチェンジャの互いに組み付けられた固定シャーシとディスク搬送部とディスク再生部とディスク収容部と分離機構を示す斜視図である。
【図３】図２に示された固定シャーシとディスク再生部とディスク収容部との一部を分解して示す斜視図である。
【図４】図３に示されたディスク収容部と駆動シャーシとの組み付け状態を示す斜視図である。
【図５】図２に示されたディスク収容部のホルダと離間溝拡縮機構とを示す斜視図である。
【図６】図５に示された離間溝拡縮機構を拡大して示す斜視図である。
【図７】図６に示された離間溝拡縮機構の移動部材が第２壁から最も離れて一つのホルダの突起と案内溝とが相対した状態を示す斜視図である。
【図８】図７に示された状態の離間溝拡縮機構のカム部材等を回転して突起を案内溝の再生部に位置付けた状態を示す斜視図である。
【図９】図６に示された離間溝拡縮機構のカム部材が第２壁に最も近づいて一つのホルダの突起と案内溝とが相対した状態を示す斜視図である。
【図１０】図９に示された状態の離間溝拡縮機構のカム部材等を回転して突起を案内溝のローディング部に位置付けた状態を示す斜視図である。
【図１１】図６に示された離間溝拡縮機構を拡大して示す斜視図である。
【図１２】図１１に示された離間溝拡縮機構のカム部材と移動部材が最も上方に位置した状態を示す斜視図である。
【図１３】図１１に示された離間溝拡縮機構の移動部材が最も上方に位置しカム部材が中央部に位置した状態を示す斜視図である。
【図１４】図１１に示された離間溝拡縮機構を分解して示す斜視図である。
【図１５】図１に示されたＣＤチェンジャの保持トレイを示す斜視図である。
【図１６】図６に示された離間溝拡縮機構のカム部材、回転部材及び移動部材をこれらの周方向に展開して示す展開図である。
【図１７】図１６に示されたカム部材の案内溝を一つのホルダの突起と相対させた状態を模式的に示す展開図である。
【図１８】図１７に示された状態からカム部材等を回転して、案内溝内に突起を挿入し始めた状態を模式的に示す展開図である。
【図１９】図１８に示された状態からカム部材等を更に回転して、案内溝のローディング部内に突起が位置した状態を模式的に示す展開図である。
【図２０】図１９に示された状態からカム部材等を更に回転して、案内溝のピックアップ侵入部内に突起が位置した状態を模式的に示す展開図である。
【図２１】図２０に示された状態からカム部材等を更に回転して、案内溝のクランプ部内に突起を位置付けた状態を模式的に示す展開図である。
【図２２】図２１に示された状態からカム部材等を更に回転して、案内溝の再生部内に突起を位置付けた状態を模式的に示す展開図である。
【図２３】図２２に示された下から２つ目のホルダの突起を案内溝の再生部内に位置付けた状態を模式的に示す展開図である。
【図２４】図２２に示された上から２つ目のホルダの突起を案内溝の再生部内に位置付けた状態を模式的に示す展開図である。
【図２５】図１６に示されたカム部材を第２壁に最も近づけた状態を模式的に示す展開図である。
【図２６】図２５に示されたカム部材の案内溝に一つのホルダの突起を相対させた状態を模式的に示す展開図である。
【図２７】図２６に示された状態からカム部材等を回転して、案内溝内に突起を挿入し始めた状態を模式的に示す展開図である。
【図２８】図２７に示された状態からカム部材等を更に回転して、案内溝のローディング部内に突起を位置付けた状態を模式的に示す展開図である。
【図２９】図２８に示された上から２つ目のホルダの突起を案内溝のローディング部内に位置付けた状態を模式的に示す展開図である。
【図３０】図２８に示された下から２つ目のホルダの突起を案内溝のローディング部内に位置付けた状態を模式的に示す展開図である。
【図３１】図１６に示された状態の連動移動機構を示す平面図である。
【図３２】図１７に示された状態の連動移動機構を示す平面図である。
【図３３】図２３に示された状態の連動移動機構を示す平面図である。
【図３４】図２４に示された状態の連動移動機構を示す平面図である。
【図３５】図２５に示された状態の連動移動機構を示す平面図である。
【図３６】図２６に示された状態の連動移動機構を示す平面図である。
【図３７】図２９に示された状態の連動移動機構を示す平面図である。
【図３８】図３０に示された状態の連動移動機構を示す平面図である。
【図３９】図１に示されたＣＤチェンジャの機器本体に収容されたＣＤとディスク検知機構のディスク検知アームとを示す平面図である。
【図４０】図３９に示されたディスク検知アームの他端部がＣＤの外縁部に接触した状態を示す平面図である。
【図４１】図１に示されたＣＤチェンジャのディスク再生部等の要部を模式的に示す平面図である。
【図４２】図４１に示されたディスク再生部の第２のスライドシャーシが揺動シャーシの他端部に向かって移動し始めた状態を模式的に示す平面図である。
【図４３】図４２に示されたディスク再生部のディスク検知アームの他端部がＣＤの外縁部に接触した状態を模式的に示す平面図である。
【図４４】図４３に示されたディスク検知アームが揺動シャーシと平行に位置付けられた状態を模式的に示す平面図である。
【図４５】図４１に示されたディスク再生部のディスク検知アームに取り付けられたクリーニング部材が光ピックアップのレンズに重なる状態を模式的に示す側面図である。
【図４６】図４１中のＡ−Ａ線に沿って一部断面で示す説明図である。
【図４７】図４３中のＢ−Ｂ線に沿って一部断面で示す説明図である。
【図４８】図４４中のＣ−Ｃ線に沿って一部断面で示す説明図である。
【図４９】本発明の第２の実施例にかかる記録媒体再生装置としてのＣＤチェンジャのディスク再生部等の要部を模式的に示す平面図である。
【図５０】図４９に示されたディスク再生部の第２のスライドシャーシが揺動シャーシの他端部に向かって移動し始めた状態を模式的に示す平面図である。
【図５１】図５０に示されたディスク再生部のディスク検知アームの他端部がＣＤの外縁部に接触した状態を模式的に示す平面図である。
【図５２】図５１に示されたディスク再生部の光ピックアップがクリーニング部材と間隔をあける位置に位置付けられた状態を模式的に示す平面図である。
【図５３】図５２に示されたディスク検知アームが揺動シャーシと平行に位置付けられた状態を模式的に示す平面図である。
【図５４】図４９に示されたディスク再生部のディスク検知アームに取り付けられたクリーニング部材から間隔をあけた位置に光ピックアップのレンズが位置付けられた状態を模式的に示す側面図である。
【図５５】図５０に示されたディスク再生部のディスク検知アームに取り付けられたクリーニング部材が光ピックアップのレンズに重なる状態を模式的に示す側面図である。
【図５６】図５０中のＤ−Ｄ線に沿って一部断面で示す説明図である。
【図５７】図５１中のＥ−Ｅ線に沿って一部断面で示す説明図である。
【図５８】図５３中のＦ−Ｆ線に沿って一部断面で示す説明図である。
【図５９】図５３に示された状態の中のクリーニング部材と光ピックアップのレンズなどを模式的に示す側面図である。
【符号の説明】
【００１３】
１  ＣＤチェンジャ（記録媒体再生装置）
２  ＣＤ（ディスク形記録媒体）
６６  光ピックアップ（情報読み取りユニット）
７８  レンズ（読み取り部）
９２  ディスク検知アーム（移動部材、準備動作部材）
９４  クリーニング部材
９７  ＣＰＵ（位置付け手段）
【発明を実施するための最良の形態】
【００１４】
以下、本発明の一実施形態にかかる記録媒体再生装置を説明する。本発明の一実施形態にかかる記録媒体再生装置は、移動部材及び準備動作部材にクリーニング部材を取り付けて、該移動部材及び準備動作部材の移動中にクリーニング部材を読み取り部に摺接させて、該読み取り部から異物を除去できるようにしている。こうすることで、専用のクリーニングカセットなどを設ける必要がなくなり、読み取り部から異物を除去する専用の工程を行う必要がなくなる。こうして、クリーニング手段の保管にかかるスペースが増加することを防止できるようにし、かつ読み取り部からの異物の除去にかかる手間や時間が増加することを防止できるようにしている。【００１５】
また、クリーニング部材を不織布で構成し、移動部材が停止している間にクリーニング部材を読み取り部に重ねる位置に、情報読み取りユニットを位置付ける位置付け手段を備えても良い。【００１６】
さらに、クリーニング部材をブラシ状に形成し、移動部材が停止している間に読み取り部がクリーニング部材から間隔をあける位置に、情報読み取りユニットを位置付ける位置付け手段を備えても良い。
【実施例１】
【００１７】
以下、本発明の第１の実施例にかかる記録媒体再生装置の一例としてのＣＤチェンジャ１を、図１ないし図４８に基づいて説明する。【００１８】
図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。本明細書に記した記録媒体即ちＣＤ２は、勿論、円板状即ちディスク状に形成されており、コンピュータなどの電子機器で読みとることのできる情報を記録した記録媒体である。【００１９】
ＣＤチェンジャ１は、図２に示すように、機器本体３（図１に示す）と、図示しない操作部と、ディスク搬送部４と、ディスク再生部５と、収容部としてのディスク収容部６と、分離手段としての分離機構７と、制御手段としてのマイクロコンピュータ（以下、マイコンと記し、図４１に示す）５４とを備えている。【００２０】
なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。【００２１】
機器本体３は、板金からなる図１に示す外側ケース８と、板金などからなる図２などに示す固定シャーシ９などを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。【００２２】
固定シャーシ９は、外側ケース８内に収容されているとともに、該外側ケース８に固定されている。固定シャーシ９は、図３に示すように、板状の底板１１と、この底板１１の外縁から立設した周板１２とを備えている。底板１１は、外側ケース８の図１中下側に位置する壁上に重ねられている。【００２３】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述の保持トレイ１９を設定するために用いられる。操作部は、使用者に操作されることで、挿入口１０を通して機器本体３外に排出されるＣＤ２を保持した保持トレイ１９を設定するために用いられる。操作部は、使用者に操作されることで、複数の保持トレイ１９に保持されたＣＤ２のうち情報を読み出すＣＤ２を設定するために用いられる。【００２４】
ディスク搬送部４は、機器本体３内に収容されており、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に昇降自在に指示された移動シャーシ１６に固定されたロードフレーム１００（図２などに示す）に取り付けられている。【００２５】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介して後述の駆動源としてのモータ４１により、軸芯周りに回転される。ローラ１４の外周面にＣＤ２が接触し、ローラ１４がモータ４１により回転駆動されることで、ディスク搬送部４は、挿入口１０内にＣＤ２を通す。【００２６】
ディスク再生部５は、機器本体３内に収容されており、図３に示すように、移動シャーシ１６と、揺動シャーシ１７と、移動手段としての移動機構６０と、ピックアップ再生部５５と、ディスク検知機構９１（図３９に示す）と、を備えている。【００２７】
移動シャーシ１６は、板金などからなり、枠状に形成されている。移動シャーシ１６は、ディスク収容部６の保持トレイ１９の配列方向（互いに重なる方向）Ｋ（図２などに矢印で示す）に沿って移動自在に、固定シャーシ９の周板１２などに支持されている。【００２８】
揺動シャーシ１７は、板金などからなり、帯板状に形成されている。揺動シャーシ１７は、一端部１７ａを中心として回動自在に移動シャーシ１６に支持されている。揺動シャーシ１７は、一端部１７ａを中心として回動することで、ディスク収容部６に収容される複数のＣＤ２間に他端部１７ｂが侵入する状態と、ディスク収容部６に収容される複数のＣＤ２間から他端部１７ｂが抜け出る状態とに亘って変位自在になっている。【００２９】
移動機構６０は、図３などに示すように、第１のスライドシャーシ６１と、第２のスライドシャーシ６２（図４１に示す）と、揺動アーム６３とを備えている。第１のスライドシャーシ６１は、板金からなり、水平部６４と、鉛直片６５とを一体に備えている。水平部６４は、平板状に形成され、かつ固定シャーシ９の板状の底板１１上に重ねられている。【００３０】
水平部６４は、他端部１７ｂが複数のＣＤ２間から抜け出た状態の揺動シャーシ１７の長手方向に沿ってスライド自在に前記底板１１に支持されている。水平部６４は、分離機構７の後述するモータ２０の駆動力により、他端部１７ｂが複数のＣＤ２間から抜け出た状態の揺動シャーシ１７の長手方向に沿って移動する。鉛直片６５は、水平部６４の縁から上方即ち第２のスライドシャーシ６２に向かって延びている。【００３１】
第２のスライドシャーシ６２は、板金からなり、平板状に形成されている。第２のスライドシャーシ６２は、移動シャーシ１６と底板１１との間に配されているとともに、移動シャーシ１６に重ねられている。第２のスライドシャーシ６２は、他端部１７ｂが複数のＣＤ２間から抜け出た状態の揺動シャーシ１７の長手方向に沿ってスライド自在に移動シャーシ１６に支持されている。【００３２】
また、第２のスライドシャーシ６２には、前述した鉛直片６５が係止している。このため、第２のスライドシャーシ６２は、鉛直片６５とともに、モータ２０の駆動力により、他端部１７ｂが複数のＣＤ２間から抜け出た状態の揺動シャーシ１７の長手方向に沿って移動する。【００３３】
さらに、第２のスライドシャーシ６２の揺動シャーシ１７に相対する表面には、検知アーム駆動用のカム溝５６が設けられている。カム溝５６は、第２のスライドシャーシ６２の揺動シャーシ１７に相対する表面から凹に形成されている。【００３４】
カム溝５６は、図４１に示すように、一対の直線部５７と、一対の傾斜部５８とを備えている。一対の直線部５７は、揺動シャーシ１７の長手方向に沿って直線状に形成され、該揺動シャーシ１７の長手方向に沿って間隔をあけて配置されている。一対の傾斜部５８は、一対の直線部５７間に設けられている。一方の傾斜部５８は、揺動シャーシ１７の他端部１７ｂ寄りの直線部５７と連通しており、該直線部５７から離れるのにしたがって徐々にＣＤ２即ち機器本体３の内側に向かうように、揺動シャーシ１７の長手方向に対し傾斜している。他方の傾斜部５８は、前述した一方の傾斜部５８と揺動シャーシ１７の一端部１７ａ寄りの直線部５７との双方と連通しており、該揺動シャーシ１７の一端部１７ａに向かうにしたがって徐々に機器本体３の外側に向かうように、揺動シャーシ１７の長手方向に対し傾斜している。【００３５】
揺動アーム６３は、板金からなり、平板状に形成されている。揺動アーム６３の平面形状は、図３に示すように、略く字状に形成されている。揺動アーム６３は、前述した移動シャーシ１６に中央部を中心として回転自在に支持されている。揺動アーム６３は、一端部が前述した第２のスライドシャーシ６２に連結している。揺動アーム６３は、他端部が揺動シャーシ１７に回転自在に連結している。揺動アーム６３は、第２のスライドシャーシ６２が前述した長手方向に沿ってスライドすると、中央部を中心として回転して、揺動シャーシ１７の一端部１７ａを中心として、該揺動シャーシ１７を揺動させる。【００３６】
移動機構６０は、モータ２０の駆動力により、第１のスライドシャーシ６１と第２のスライドシャーシ６２を移動させるとともに、揺動アーム６３を回転して、一端部１７ａを中心として揺動シャーシ１７を揺動させる。移動機構６０は、一端部１７ａを中心として揺動シャーシ１７を揺動することで、保持トレイ１９に保持されたＣＤ２の情報記録面と対向する位置に後述の光ピックアップ６６を移動する。【００３７】
ピックアップ再生部５５は、揺動シャーシ１７にダンパやばねなどにより防振支持されたＣＲＧシャーシ５９（図４１に示す）上に設けられている。ピックアップ再生部５５は、図４１に示すように、ターンテーブル７４と、ピックアップ部７５などを備えている。ターンテーブル７４は、回転テーブル７６と、スピンドルモータと、複数のクランプ爪とを備えている。回転テーブル７６は、ＣＲＧシャーシ５９に回転自在に支持されているとともに、揺動シャーシ１７の他端部１７ｂ上に配置されている。回転テーブル７６は、円板状に形成されており、表面上にＣＤ２が置かれる。【００３８】
スピンドルモータは、ＣＲＧシャーシ５９と回転テーブル７６との間に設けられている。スピンドルモータは、回転テーブル７６を回転する。クランプ爪は、回転テーブル７６の表面から突没自在に設けられている。クランプ爪は、回転テーブル７６の表面から突出すると、回転テーブル７６上のＣＤ２の中央孔内に突出して、回転テーブル７６との間にＣＤ２を挟む。クランプ爪は、回転テーブル７６との間に挟むことで、ＣＤ２をクランプする。【００３９】
ピックアップ部７５は、図４１に示すように、情報読み取りユニットとしての光ピックアップ６６（図３中に二点鎖線で示す）と、ピックアップ移動部７７とを備えている。光ピックアップ６６は、ピックアップ移動部７７により、ターンテーブル７４に接離する方向に移動自在にＣＲＧシャーシ５９に支持されている。【００４０】
光ピックアップ６６は、レーザ光をＣＤ２の情報記録面に向かって出射して、ＣＤ２のい情報記録面で反射されたレーザ光を受光して、ターンテーブル７４に支持されたＣＤ２から情報を読み出す。即ち、光ピックアップ６６は、保持トレイ１９に保持されていたＣＤ２を再生する。再生時、ＣＤ２は、保持トレイ１９から厚み方向Ｚに退避する。光ピックアップ６６は、前述したレーザ光を通しかつ前記ＣＤ２の情報記録面と相対するレンズ７８を備えている。レンズ７８は、特許請求の範囲に記載した読み取り部をなしている。【００４１】
ピックアップ移動部７７は、図４１に示すように、モータ７９ａと、ねじ軸７９ｂと、案内棒７９ｃなどを備えている。モータ７９ａは、ＣＲＧシャーシ５９に固定されている。ねじ軸７９ｂは、ＣＲＧシャーシ５９に回転自在に支持されており、モータ７９ａの駆動力により軸芯回りに回転される。ねじ軸７９ｂには、光ピックアップ６６が螺合している。案内棒７９ｃは、ねじ軸７９ｂと平行な状態で、ＣＲＧシャーシ５９に固定されている。案内棒７９ｃは、光ピックアップ６６を貫通している。ねじ軸７９ｂと案内棒７９ｃの長手方向は、揺動シャーシ１７の長手方向と平行である。ピックアップ移動部７７は、光ピックアップ６６をターンテーブル７４に接離させる。なお、接離とは、互いに近づいたり離れたりすることである。【００４２】
ディスク検知機構９１は、図３９に示すように、移動部材と準備動作部材との双方としてのディスク検知アーム９２と、付勢手段としての図示しないコイルばねと、図示しないスイッチとを備えている。【００４３】
ディスク検知アーム９２は、棒状に形成されており、前述したＣＲＧシャーシ５９の底板１１から離れた側の表面上に重ねられている。ディスク検知アーム９２は、その一端部９２ａが揺動シャーシ１７の一端部１７ａに重なる格好で配置されている。即ち、ディスク検知アーム９２は、厚み方向Ｚに沿って、ピックアップ部７５の光ピックアップ６６と重なる位置に設けられている。ディスク検知アーム９２は、その一端部９２ａを中心として回転自在にＣＲＧシャーシ５９に支持されている。【００４４】
また、ディスク検知アーム９２は、図４１に示すように、ＣＲＧシャーシ５９と揺動シャーシ１７とを貫通して、前記第２のスライドシャーシ６２のカム溝５６内に侵入するカム突起９３が設けられている。ディスク検知アーム９２は、第２のスライドシャーシ６２がスライドして、カム突起９３がカム溝５６内を移動することで、前述した一端部９２ａを中心として回転する。【００４５】
ディスク検知アーム９２は、他端部９２ｂが、揺動シャーシ１７が複数のＣＤ２即ち保持トレイ１９間から退避した状態で、複数のＣＤ２のうちの再生を開始しようとする一つのＣＤ２の外縁部と間隔をあける位置（図３９に示す）と、他端部９２ｂが複数のＣＤ２のうちの再生を開始しようとする一つのＣＤ２の外縁より該ＣＤ２の内側に位置する位置（図４０中に二点鎖線で示す）と、に亘って回転自在になっている。【００４６】
このため、ディスク検知アーム９２は、勿論、図４０中に実線で示すように、前述した他端部９２ｂが前述した一つのＣＤ２の外縁部と当接可能である。また、ディスク検知アーム９２は、前述した図３９に示す位置と図４０中に二点鎖線に示す位置とから越えて回転することが、第２のスライドシャーシ６２に設けられたカム溝５６と、カム突起９３とによって規制されている。【００４７】
コイルばねは、前述した他端部９２ｂがＣＤ２の外縁部に近づく方向に、ディスク検知アーム９２を付勢している。【００４８】
スイッチは、ディスク検知アーム９２の一端部９２ａの近傍に設けられている。スイッチは、ディスク検知アーム９２の他端部９２ｂが図４０中に二点鎖線で示す位置に位置付けられると、ディスク検知アーム９２の一端部９２ａが当接する。スイッチは、ディスク検知アーム９２の他端部９２ａが図４０中に実線で示す位置に位置付けられると、ディスク検知アーム９２の一端部９２ａが当接する。【００４９】
このように、スイッチは、ディスク検知アーム９２の他端部９２ｂが、前述した一つのＣＤ２の外縁部に当接したか否かを検出する。即ち、スイッチは、ディスク収容部６の複数の保持トレイ１９のうち再生しようとするＣＤ２が保持トレイ１９に収容されているか否かを検出する。スイッチは、検出結果をマイコン５４のＣＰＵ９７に向かって出力する。【００５０】
前述したディスク検知機構９１は、複数のＣＤ２のうち一つのＣＤ２の情報を再生する前に、第２のスライドシャーシ６２がモータ２０の駆動力によりスライドされて、ディスク検知アーム９２が一端部９２ａを中心として回転して、スイッチが再生しようとするＣＤ２が保持トレイ１９に収容されているか否かを検出する。則ち、ディスク検知機構９１のディスク検知アーム９２は、前記光りピックアップ６６の読み出し停止時に、前記情報を読み出すための準備動作としてのＣＤ２の有無の確認を行う。ディスク検知機構９１が、ディスク検知アーム９２を回転させている間は、勿論、ディスク再生部５の再生動作が行われていない。このように、ディスク検知機構９１は、ＣＤ２からの情報の読み出しを停止している（光ピックアップ６６の読み出し停止）時に、ディスク検知アーム９２を、ＣＲＧシャーシ５９即ち光ピックアップ６６に対して相対的に移動する。【００５１】
また、ディスク検知アーム９２の他端部９２ｂには、図４１に示すように、クリーニング部材９４が取り付けられている。クリーニング部材９４は、ディスク検知アーム９２のＣＲＧシャーシ５９即ち光ピックアップ６６と相対する表面に取り付けられている。クリーニング部材９４は、不織布で構成されている。【００５２】
クリーニング部材９４は、ディスク検知アーム９２がＣＲＧシャーシ５９と平行な状態である時に、光ピックアップ６６のレンズ７８と密に接触可能である。勿論、クリーニング部材９４は、光ピックアップ６６の位置によっては、レンズ７８と間隔をあける（接触しない）こともある。クリーニング部材９４は、ディスク検知アーム９２が、ＣＤ２の有無を検出するために移動すると、光ピックアップ６６のレンズ７８と摺接（擦りながら接触すること）して、該レンズ７８に付着している異物を該レンズ７８から除去するとともに、該異物を自身に付着させる。則ち、クリーニング部材９４は、前述した準備動作のための前記ディスク検知アーム９２の移動を利用することによりレンズ７８に摺接して該レンズ７８に付着した異物を除去する。【００５３】
ディスク再生部５は、揺動シャーシ１７の他端部１７ｂ及びＣＲＧシャーシ５９がＣＤ２間に侵入して、ターンテーブル７４のクランプ爪がＣＤ２をクランプするとともに、ターンテーブル７４の回転テーブル７６がＣＤ２を回転する。ディスク再生部５は、ピックアップ部７５の光ピックアップ６６が、ターンテーブル７４により回転されたＣＤ２から情報を読み出す。【００５４】
ディスク収容部６は、機器本体３内に収容されており、図３に示すように、第１壁としての移動シャーシ１８と、複数の保持トレイ１９とを備えている。移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。【００５５】
保持トレイ１９は、底板１１と移動シャーシ１８との双方と平行な状態で、固定シャーシ９に昇降自在に支持されている。複数の保持トレイ１９は、底板１１と移動シャーシ１８とが互いに重なる方向（前述した矢印Ｋ）に沿って、後述のトレイ本体８０が互いに重ねられている。【００５６】
保持トレイ１９は、図１５などに示すように、トレイ本体８０と、第１の係止部材８１と、第２の係止部材８２と、第３の係止部材８３とを備えている。トレイ本体８０は、合成樹脂からなり、板状に形成されている。トレイ本体８０は、保持部８４と、フランジ部８５とを一体に備えている。【００５７】
保持部８４は、平板状に形成されている。保持部８４の平面形状は、（略）Ｃ字状（半環状、半リング状ともいう）に形成されている。このため、トレイ本体８０の平面形状は、（略）Ｃ字状に形成されている。また、保持部８４は、表面上にＣＤ２を位置付ける。このため、トレイ本体８０は、表面上にＣＤ２を位置付ける。【００５８】
フランジ部８５は、保持部８４の外周側の外縁から立設しているとともに、該保持部８４の外周方向に延びている。このため、保持部８４上に位置付けられたＣＤ２は、フランジ部８５の縁部としての内縁８５ａと当接することで、保持部８４上に位置決めされる。このため、保持トレイ１９は、保持したＣＤ２の外縁と当接する内縁８５ａを備えている。トレイ本体８０は、保持部８４のＣ字状に形成された開口部が挿入口１０と相対する状態に配されている。【００５９】
第１の係止部材８１は、合成樹脂からなり、帯板状でかつアーム状に形成されている。第１の係止部材８１は、トレイ本体８０の図１５中の左側に位置する一端部８０ａに位置するフランジ部８５にその長手方向の中央部８１ｃを中心として回転自在に支持されている。このため、第１の係止部材８１は、トレイ本体８０の一端部８０ａに回転自在に設けられている。【００６０】
第１の係止部材８１は、図１５中手前側（トレイ本体８０の端側）に位置する一端部８
１ａに係止部としての係止爪８６を設けている。第１の係止部材８１は、係止爪８６がフランジ部８５の内縁から保持部８４上に突出する図１５に示す係止位置と、係止爪８６がフランジ部８５の内縁に没して保持部８４上から退避する図示しない非係止位置とに亘って、回転自在である。【００６１】
また、第１の係止部材８１は、トレイ本体８０に、係止位置と非係止位置とに亘る回転が許容されているとともに、前記係止位置と非係止位置を越えて回転することが規制されている。係止爪８６は、前述した係止位置で前記保持部８４即ちトレイ本体８０との間にＣＤ２の外縁部を位置付けて、該ＣＤ２の外縁部に係止する。このため、第１の係止部材８１は、トレイ本体８０の保持部８４上に位置付けられるＣＤ２の外縁部に係止する。【００６２】
第２の係止部材８２は、合成樹脂からなり、帯板状でかつアーム状に形成されている。第２の係止部材８２は、トレイ本体８０の図１５中の右側に位置する他端部８０ｂに位置するフランジ部８５にその長手方向の中央部８２ｃを中心として回転及びスライド自在に支持されている。このため、第２の係止部材８２は、トレイ本体８０の他端部８０ｂに回転及びスライド自在に設けられている。【００６３】
第２の係止部材８２は、図１５中手前側（トレイ本体８０の端側）に位置する一端部８２ａに係止部としての係止爪８７を設けている。第２の係止部材８２は、係止爪８７がフランジ部８５の内縁から保持部８４上に突出する図１５に示す係止位置と、係止爪８７がフランジ部８５の内縁に没して保持部８４上から退避する図示しない非係止位置とに亘って、回転及びスライド自在である。【００６４】
また、第２の係止部材８２は、トレイ本体８０に、係止位置と非係止位置とに亘る回転が許容されているとともに、前記係止位置と非係止位置を越えて回転することが規制されている。係止爪８７は、前述した係止位置で前記保持部８４即ちトレイ本体８０との間にＣＤ２の外縁部を位置付けて、該ＣＤ２の外縁部に係止する。このため、第２の係止部材８２は、トレイ本体８０の保持部８４上に位置付けられるＣＤ２の外縁部に係止する。【００６５】
さらに、第２の係止部材８２は、トレイ本体８０のフランジ部８５に取り付けられたねじりコイルばね８８により、前記係止爪８７がフランジ部８５の内縁から保持部８４上に突出する方向即ち係止位置に向かって付勢されている。すなわち、第２の係止部材８２は、係止爪８７がトレイ本体８０上のＣＤ２の外縁部に係止する（保持部８４の内側に向かう）方向に付勢されている。【００６６】
第３の係止部材８３は、合成樹脂からなり、帯板状でかつアーム状に形成されている。第３の係止部材８３は、トレイ本体８０の前述した一端部８０ａと他端部８０ｂとの間の中央部８０ｃに位置するフランジ部８５にその長手方向の中央部８３ｃを中心として回転自在に支持されている。このため、第３の係止部材８３は、トレイ本体８０の一端部８０ａと他端部８０ｂとの間に回転自在に設けられている。【００６７】
第３の係止部材８３は、図１５中奥側（トレイ本体８０の中央側）に位置する一端部８３ａに係止部としての係止爪８９を設けている。第３の係止部材８３は、係止爪８９がフランジ部８５の内縁から保持部８４上に突出する図１５に示す係止位置と、係止爪８９がフランジ部８５の内縁に没して保持部８４上から退避する図示しない非係止位置とに亘って、回転自在である。【００６８】
また、第３の係止部材８３は、トレイ本体８０に、係止位置と非係止位置とに亘る回転が許容されているとともに、前記係止位置と非係止位置を越えて回転することが規制されている。係止爪８９は、前述した係止位置で前記保持部８４即ちトレイ本体８０との間にＣＤ２の外縁部を位置付けて、該ＣＤ２の外縁部に係止する。このため、第３の係止部材８３は、トレイ本体８０の保持部８４上に位置付けられるＣＤ２の外縁部に係止する。【００６９】
さらに、第３の係止部材８３の他端部８３ｂは、第１の係止部材８１の他端部８１ｂより保持部８４寄り即ちトレイ本体８０の内側に配されているとともに、前記第１の係止部材８１の他端部８１ｂに当接する。また、第３の係止部材８３は、トレイ本体８０のフランジ部８５に取り付けられたねじりコイルばね９０により、前記係止爪８９がフランジ部８５の内縁から保持部８４上に突出する方向即ち係止位置に向かって付勢されている。すなわち、第３の係止部材８３は、係止爪８９がトレイ本体８０上のＣＤ２の外縁部に係止する（保持部８４の内側に向かう）方向に付勢されている。【００７０】
また、第３の係止部材８３の他端部８３ｂが第１の係止部材８１の他端部８１ｂよりトレイ本体８０の内側に位置しかつ第１の係止部材８１の他端部８１ｂに当接しているので、前述したねじりコイルばね９０は、第１の係止部材８１を前記係止爪８６がフランジ部８５の内縁から保持部８４上に突出する方向即ち係止位置に向かって付勢している。このため、第１の係止部材８１は、係止爪８６がトレイ本体８０上のＣＤ２の外縁部に係止する（保持部８４の内側に向かう）方向に付勢されている。【００７１】
さらに、第１の係止部材８１と、第３の係止部材８３は、同一のねじりコイルばね９０により付勢されている。このため、第３の係止部材８３と、第１の係止部材８１と第２の係止部材８２とのうち一方とは、同一のねじりコイルばね９０により付勢されている。【００７２】
保持トレイ１９は、挿入口１０を通して機器本体３に挿入されたＣＤ２がトレイ本体８０の開口部を通して内側に侵入して保持部８４上に位置し、係止爪８６，８７，８９がＣＤ２の外縁部に係止することで、このＣＤ２を保持する。複数の保持トレイ１９は、各々が保持するＣＤ２の表面が互いに平行になるように、互いに重ねられて配されている。保持トレイ１９は、前記矢印Ｋに沿って昇降自在に固定シャーシ９などに支持されている。各々の保持トレイ１９のトレイ本体８０には、外方向に向かって突出した突起２９（図１５ないし図２２に示す）が設けられている。ディスク収容部６は、ＣＤ２を保持可能な複数の保持トレイ１９を積層配列して収容する。【００７３】
分離機構７は、機器本体３内に収容されており、モータ２０（図３に示す）と、離間溝拡縮機構２１（図６ないし図１０に示す）と、連動移動機構２２（図３１ないし図３８に示す）とを備えている。モータ２０は、図３に示すように、固定シャーシ９に固定されている。【００７４】
離間溝拡縮機構２１は、図５に示すように、３つ設けられており、機器本体３の隅部に設けられている。離間溝拡縮機構２１は、図６ないし図１４に示すように、円柱状に形成されており、回転部材２５と、移動部材２６と、カム部材２４とを備えている。【００７５】
回転部材２５は、図１２ないし図１４に示すように、互いに同軸に配された円板部６８と、円柱部６９とを一体に備えている。円板部６８は、円板状に形成され、固定シャーシ９の底板１１に軸芯周りに回転自在に支持されている。円柱部６９は、円柱状に形成されており、円板部６８から立設している。【００７６】
回転部材２５の軸芯は、前述した矢印Ｋと平行に配されている。回転部材２５は、円板部６８の外縁部に設けられた歯が底板１１に回転自在に設けられた複数の歯車６７に噛み合っている。回転部材２５は、歯車６７を介してモータ２０のピニオンと接続されたカム６７ｂ上のカム６７ａにより、モータ２０の駆動力により軸芯周りに回転される。回転部材２５がモータ２０の駆動力により軸芯周りに回転されることは、本明細書に記した回転部材２５がモータ２０の駆動力により移動されることを示している。回転部材２５は、移動部材２６とカム部材２４の各々を同軸的に配するとともに、移動部材２６とカム部材２４の各々を回転させる。【００７７】
移動部材２６は、図１１ないし図１４に示すように、円管状に形成されており、回転部材２５の外周に取り付けられてこの回転部材２５と同軸に配されている。移動部材２６と回転部材２５とは、回転部材２５に設けられた突起７０と、移動部材２６に設けられたキー溝とからなるキーにより互いに取り付けられている。移動部材２６は、前述した矢印Ｋに沿って移動自在に回転部材２５に取り付けられている。移動部材２６は、カム部材２４とは独立して、矢印Ｋに沿って、移動可能である。さらに、移動部材２６の底板１１から離れた側の縁（上端）には、係止溝７１が設けられている。また、移動部材２６は、前述した回転部材２５と一体に（連動して）前述した軸芯周りに回転する。【００７８】
また、移動部材２６は、図６、図１６ないし図３０に示すように、第１壁としての移動シャーシ１８に取り付けられているとともに、第２壁２７ｂが設けられている。移動シャーシ１８と第２壁２７ｂは、移動部材２６の軸芯方向の両縁に設けられており、矢印Ｋと平行な軸芯に沿って互いに常に一定の間隔をあけて配されている。移動シャーシ１８と第２壁２７ｂは、移動部材２６の両縁から外周方向に突出している。【００７９】
移動部材２６は、固定シャーシ９の底板１１から離れた側の縁に設けられた係止溝７１により移動シャーシ１８に取り付けられている。このことを、本発明では、第１壁としての移動シャーシ１８は、移動部材２６の上端に設けられているという。このため、移動部材２６は、移動シャーシ１８と一体に（連動して）矢印Ｋに沿って移動する。また、移動シャーシ１８は、移動部材２６などが軸芯周りに回転することを許容する（妨げない）。移動シャーシ１８は、前述した矢印Ｋに対し直交する方向に沿った平板状に形成されている。【００８０】
第２壁２７ａ，２７ｂは、回転部材２５と移動部材２６とに亘って設けられている。回転部材２５では、第２壁２７ａは、図１１ないし図１４に示すように、円板部６８の外縁から立設しており、断面形状が回転部材２５の軸芯を中心とした円弧状に形成されている。このため、第２壁２７ａは、円板部６８の外周に配されている。【００８１】
移動部材２６では、第２壁２７ｂは、図１１ないし図１４に示すように、固定シャーシ９の底板１１寄りの縁（即ち、移動部材２６の下端）に設けられている。第２壁２７ｂは、移動部材２６の外周に配され、移動部材２６と同軸に配されている。第２壁２７ａ，２７ｂは、回転部材２５と移動部材２６とに亘って、面一に形成されている。第２壁２７ａ，２７ｂは、移動部材２６から回転部材２５に向かうにしたがって、移動シャーシ１８から徐々に離れる方向に、前述した矢印Ｋとこの矢印Ｋに対し直交する方向との双方に交差した方向に延びている。【００８２】
また、前述した移動シャーシ１８と第２壁２７ａ，２７ｂとの間において、矢印Ｋに沿って互いの間にカム部材２４の後述のくさび部３０が位置付けられていない部分では、前述した移動シャーシ１８と第２壁２７ａ，２７ｂとの間隔は、保持トレイ１９の数と突起２９の矢印Ｋ方向の溝幅との積に等しい又は略等しい。【００８３】
回転部材２５と移動部材２６は、前述した移動シャーシ１８と第２壁２７との間に、突起２９を位置付けて、前述した保持トレイ１９を保持する。また、回転部材２５と移動部材２６は、軸芯周りに回転することで、前述した移動シャーシ１８と第２壁２７との間で突起２９が後述の連結壁２８から接離するように矢印Ｋに対し交差する方向に沿って移動することを許容する。このため、カム部材２４と回転部材２５と移動部材２６は、モータ２０の駆動力により、後述の離間溝３９，４０の奥に向かって突起２９が侵入する方向に移動される。さらに、カム部材２４と回転部材２５と移動部材２６は、後述の収容位置で、すべての保持トレイ１９の突起２９を、移動シャーシ１８と第２壁２７ａ，２７ｂとの間に位置付ける。【００８４】
カム部材２４は、図１１ないし図１４に示すように、円管状に形成されており、移動部材２６の外周に取り付けられて、回転部材２５及び移動部材２６等と同軸に配されている。カム部材２４と移動部材２６とは、カム部材２４に設けられた突起７２と、移動部材２６に設けられた突起とからなるキーにより互いに取り付けられている。カム部材２４は、前述した矢印Ｋに沿って移動自在に移動部材２６に取り付けられている。また、カム部材２４は、前述した回転部材２５及び移動部材２６と一体（連動して）に前述した軸芯周りに回転する。【００８５】
さらに、カム部材２４の底板１１から離れた側の縁に係止溝７３が設けられている。カム部材２４の係止溝７３には、ディスク再生部５の移動シャーシ１６が係止して、取り付けられている。このため、カム部材２４は、移動シャーシ１６即ち前述した光ピックアップ６６と一体に（連動して）矢印Ｋに沿って移動する。このため、カム部材２４は、矢印Ｋに沿って、移動可能である。また、移動シャーシ１６は、カム部材２４などが軸芯周りに回転することを許容する（妨げない）。【００８６】
さらに、カム部材２４は、くさび部３０と、案内溝３１と、連結壁２８とを備えている。くさび部３０は、前述した移動シャーシ１８と、第２壁２７との間に位置しているとともに、連結壁２８と間隔をあけて配されている。このため、カム部材２４のくさび部３０は、前述した移動シャーシ１８と第２壁２７との間を矢印Ｋに沿って移動する。くさび部３０は、移動部材２６に向かうにしたがって、矢印Ｋに沿う溝幅が徐々に細くなるように形成されている。【００８７】
案内溝３１は、くさび部３０に設けられている。案内溝３１は、カム部材２４のくさび部３０の外周面に形成されている。即ち、案内溝３１は、カム部材２４のくさび部３０の外周面から凹に形成されている。案内溝３１の矢印Ｋに沿う溝幅は、一つの突起２９の矢印Ｋに沿う幅と略等しい。案内溝３１は、図１６ないし図３０に示すように、連結壁２８に相対する開口部３２と、ローディング部３３と、ピックアップ侵入部３４と、第１連結部３５と、クランプ部３６と、第２連結部３７と、再生部３８とを備えている。ローディング部３３と、ピックアップ侵入部３４と、クランプ部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。【００８８】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より回転部材２５の第２壁２７から離れた側に配されている。【００８９】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に回転部材２５の第２壁２７に近づく方向に延びている。クランプ部３６は、第１連結部３５に連なり、この第１連結部３５の連結壁２８から離れた側に配されている。第２連結部３７は、クランプ部３６に連なり、このクランプ部３６の連結壁２８から離れた側に配されている。第２連結部３７は、クランプ部３６から離れるのにしたがって徐々に回転部材２５の第２壁２７に近づく方向に延びている。再生部３８は、第２連結部３７に連なり、この第２連結部３７の連結壁２８から離れた側に配されている。【００９０】
案内溝３１は、開口部３２を通して、突起２９が侵入することを許容する。即ち、案内溝３１内には、突起２９即ち保持トレイ１９が摺動可能である。さらに、案内溝３１は、ローディング部３３と、ピックアップ侵入部３４と、第１連結部３５と、クランプ部３６と、第２連結部３７と、再生部３８内に順に突起２９が移動することを許容する。【００９１】
ローディング部３３内に位置付けられた突起２９を設けた保持トレイ１９は、挿入口１０と矢印Ｙに沿って相対する。そして、ローディング部３３内に位置付けられた突起２９を設けた保持トレイ１９は、挿入口１０を通して挿入されたＣＤ２を保持できるとともに、挿入口１０を通して保持したＣＤ２を機器本体３外に排出できる。【００９２】
ピックアップ侵入部３４内に位置付けられた突起２９を設けた保持トレイ１９は、図２中下方に位置する他の保持トレイ１９から離れて、この図中下方に位置する保持トレイ１９との間に揺動シャーシ１７の他端部１７ｂ即ちピックアップ再生部５５が侵入することを許容する。クランプ部３６内に位置付けられた突起２９を設けた保持トレイ１９は、保持したＣＤ２をディスク再生部５のターンテーブルがクランプすることを許容する。再生部３８内に位置付けられた突起２９を設けた保持トレイ１９は、ターンテーブルにクランプされたＣＤ２から離されて、ターンテーブルにより回転されるＣＤ２に干渉（接触）しない。即ち、ＣＤ２が回転することを許容する。【００９３】
連結壁２８は、前述した矢印Ｋに沿って直線状に延びている。連結壁２８は、くさび部３０に設けられた案内溝３１の開口部３２と矢印Ｋに対し直交する方向に沿って、間隔をあけて相対している。連結壁２８は、移動シャーシ１８と第２壁２７とを互いに連結する格好になっている。【００９４】
こうして、カム部材２４は、一つのＣＤ２を保持する保持トレイ１９の突起２９が摺動可能に係合する案内溝３１を有している。【００９５】
前述した構成の回転部材２５と、移動部材２６と、カム部材２４とは、図１１に示すように、互いに同軸に配されている。また、移動部材２６と、カム部材２４とは、図１１ないし図１３に示すように、互いに独立して、矢印Ｋに沿って移動可能である。【００９６】
また、前述した移動シャーシ１８とカム部材２４のくさび部３０との間は、本明細書に記した第１離間溝３９をなしている。第１離間溝３９は、移動シャーシ１８と、カム部材２４のくさび部３０の底板１１から離れた側の上面部とで構成されている。第１離間溝３９は、案内溝３１に係合する一つのＣＤ２を保持する保持トレイ１９より上方（矢印Ｋ１側）に位置する他の保持トレイ１９と係合する。【００９７】
さらに、前述した第２壁２７とカム部材２４のくさび部３０との間は、本明細書に記した第２離間溝４０をなしている。第２離間溝４０は、第２壁２７とカム部材２４のくさび部３０の底板１１寄りの下面部とで構成されている。第２離間溝４０は、案内溝３１に係合する一つのＣＤ２を保持する保持トレイ１９より下方（矢印Ｋ２側）に位置する他の保持トレイ１９と係合する。【００９８】
第１離間溝３９と第２離間溝４０は、案内溝３１に係合する一つのＣＤ２を保持する保持トレイ１９の他の保持トレイ１９の突起２９が侵入することを許容する（他の保持トレイ１９が係合する）。第１離間溝３９と第２離間溝４０は、本明細書に記した離間溝をなしている。第１離間溝３９と第２離間溝４０即ち離間溝は、一つのＣＤ２を保持する保持トレイ１９の他の保持トレイ１９が摺動可能に係合するとともに、カム部材２４と移動部材２６との相対的な移動により形成される。【００９９】
第１離間溝３９と第２離間溝４０とは、カム部材２４と移動部材とを相対的に矢印Ｋに沿って移動することで、互いに連動して矢印Ｋに沿った溝幅が可変する（拡がったり狭くなる）。カム部材２４が矢印Ｋに沿ってスライドした際に、第１離間溝３９の溝幅が拡がると第２離間溝４０の溝幅が狭くなり、第２離間溝４０の溝幅が拡がると第１離間溝３９の溝幅が狭くなる。【０１００】
また、第１離間溝３９の溝幅と第２離間溝４０の溝幅との和は、保持トレイ１９の数から１を引いて得られる数と一つの突起２９の矢印Ｋ方向の幅との積に等しい又は略等しい。前述した第１及び第２離間溝３９，４０即ち離間溝は、カム部材２４と移動部材２６との相対的な移動により矢印Ｋに沿った溝幅が可変する。即ち、第１及び第２離間溝３９，４０は、カム部材２４と移動部材２６との相対的な移動により矢印Ｋに沿った溝幅が相対的に可変する。【０１０１】
前述した構成によれば、移動シャーシ１８と第２壁２７との間に位置付けられたすべての保持トレイ１９の突起２９は、モータ２０の駆動力が複数の歯車６７を介して伝達されて、回転部材２５と移動部材２６とカム部材２４とが一体に（連動して）回転（移動）することで、一つの突起２９が案内溝３１内に侵入する。残りの突起２９のうち案内溝３１に侵入した突起２９より矢印Ｋ１（図６などに示す）側に位置する保持トレイ１９の突起２９が第１離間溝３９内に侵入し、案内溝３１に侵入した突起２９より矢印Ｋ２（図６などに示す）側に位置する保持トレイ１９の突起２９が第２離間溝４０内に侵入する。なお、矢印Ｋ１は、前述した矢印Ｋの一方側をなしているとともに、矢印Ｋ２は、前述した矢印Ｋの他方側をなしている。【０１０２】
すべての保持トレイ１９の突起２９が、案内溝３１に侵入することなく連結壁２８に近づいて移動シャーシ１８と第２壁２７との間に位置する状態は、本明細書では、保持トレイ１９が収容位置に位置するという。また、カム部材２４のくさび部３０が連結壁２８と間隔をあけているため、収容位置では、第１離間溝３９と第２離間溝４０とは、一体になっている。したがって、収容位置では、複数の保持トレイ１９が互いに近接する。【０１０３】
突起２９が、案内溝３１の再生部３８内と、第１及び第２離間溝３９，４０の奥に侵入する状態は、本明細書では、保持トレイ１９が再生位置に位置するという。再生位置では、カム部材２４のくさび部３０により、前記案内溝３１内に突起２９が侵入した保持トレイ１９は、収容位置より他の保持トレイ１９から離れる。再生位置では、情報を再生するＣＤ２を保持した保持トレイ１９が他の保持トレイ１９から離れるとともに、情報を再生するＣＤ２を保持した保持トレイ１９と他の保持トレイ１９との間に光ピックアップ６６が侵入可能になる。【０１０４】
突起２９が、移動部材２６の第２壁２７と移動シャーシ１８との間に位置し、案内溝３１のローディング部３３内と、第１及び第２離間溝３９，４０に侵入した状態は、本明細書では、保持トレイ１９がローディング位置に位置するという。【０１０５】
また、前述した再生位置では、第１離間溝３９内に情報を再生するＣＤ２を保持した保持トレイ１９の矢印Ｋ１側の保持トレイ１９の突起２９が侵入する。第１離間溝３９は、前記矢印Ｋ１側の保持トレイ１９を、情報を再生するＣＤ２を保持した保持トレイ１９から離す。【０１０６】
さらに、再生位置とローディング位置では、第２離間溝４０内に情報を再生するＣＤ２を保持した保持トレイ１９の矢印Ｋ２側の保持トレイ１９の突起２９が侵入する。第２離間溝４０は、前記矢印Ｋ２側の保持トレイ１９を、情報を再生するＣＤ２を保持した保持トレイ１９から離す。【０１０７】
連動移動機構２２は、図３１などに示すように、駆動源としてのモータ４１（図３に示す）と、駆動シャーシ４２（図３及び図４に示す）と、第２駆動シャーシ５３（図３及び図４に示す）と、第１突起４３と、第１孔４４と、第２突起４５と、第２孔４６とを備えている。なお、図３には、駆動シャーシ４２と第２駆動シャーシ５３を２つずつ示しているが、実際には、駆動シャーシ４２と第２駆動シャーシ５３は一つずつ設けられている。【０１０８】
連動移動機構２２は、ディスク収容部６の保持トレイ１９を収容位置と再生位置とに亘って移動させる際には、移動部材２６を、回転部材２５に対し矢印Ｋに沿って移動して、回転部材２５から最も遠ざけておく。そして、連動移動機構２２は、再生位置に位置付けるＣＤ２を保持した保持トレイ１９の突起２９が案内溝３１に侵入できる位置に、カム部材２４を位置付ける。【０１０９】
連動移動機構２２は、ディスク収容部６の保持トレイ１９を再生位置とローディング位置とに亘って移動させる即ちＣＤ２を機器本体３内に出し入れする際には、カム部材２４を、移動部材２６に対し矢印Ｋに沿って移動して、回転部材２５に最も近づけておく。そして、連動移動機構２２は、ローディング位置に位置付けられた即ち出し入れされたＣＤ２を保持する保持トレイ１９の突起２９が案内溝３１に侵入できる位置に、移動部材２６を位置付ける。連動移動機構２２は、駆動源としてのモータ４１の駆動力により、前述したように、カム部材２４即ちディスク再生部５の移動シャーシ１６と、移動部材２６即ちディスク収容部６の移動シャーシ１８とを連動して、矢印Ｋに沿って移動する。【０１１０】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。【０１１１】
第２駆動シャーシ５３は、板金からなり、板状に形成されている。第２駆動シャーシ５３の平面形状は、矩形状に形成されている。第２駆動シャーシ５３は、機器本体３の固定シャーシ９の周板１２に、矢印Ｋに対し直交（交差）する方向に沿って移動自在に支持されている。第２駆動シャーシ５３には、モータ４１の駆動力により回転される歯車４８と噛み合ったラック４７が形成されている。【０１１２】
第１突起４３は、ディスク収容部６の移動シャーシ１８から駆動シャーシ４２と第２駆動シャーシ５３に向かって突出している。第１孔４４は、駆動シャーシ４２と第２駆動シャーシ５３に設けられている。勿論、第１孔４４は、駆動シャーシ４２と第２駆動シャーシ５３を貫通している。第１孔４４には、図４に示すように、第１突起４３が侵入する。【０１１３】
第１孔４４は、図３１ないし図３８に示すように、第１平行部４９と第１傾斜部５０とを備えている。第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に固定シャーシ９の底板１１に近づく方向に傾斜している。【０１１４】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。【０１１５】
第２孔４６は、第２傾斜部５１と第２平行部５２とを備えている。第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に固定シャーシ９の底板１１から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。【０１１６】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。【０１１７】
前述した連動移動機構２２は、駆動源としてのモータ４１の駆動力により、第２駆動シャーシ５３を矢印Ｋに対し直交する方向に沿って移動する。第２駆動シャーシ５３の動きに連動して、図３に示すリンクアーム１０１により第２駆動シャーシ５３と連結された駆動シャーシ４２は矢印Ｋに対し直交する方向に沿って移動する。【０１１８】
このため、連動移動機構２２即ち分離機構７は、カム部材２４と移動部材２６との各々を矢印Ｋに沿って駆動（移動）する単一の駆動源としてのモータ４１を備えている。【０１１９】
連動移動機構２２は、駆動源としてのモータ４１の駆動力により、保持トレイ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、駆動源としてのモータ４１の駆動力により、保持トレイ１９を再生位置と収容位置とに亘って移動する際には、第２突起４５が第２傾斜部５１内を移動し、第１突起４３が第１平行部４９内を移動する位置に駆動シャーシ４２を位置付ける。【０１２０】
なお、連動移動機構２２により、第２突起４５が第２平行部５２内に位置付けられると、カム部材２４が最も回転部材２５の第２壁２７ａに近づく。最も回転部材２５の第２壁２７ａに近づいたカム部材２４の案内溝３１のローディング部３３内に突起２９が位置付けられた保持トレイ１９は、前述した挿入口１０を通して出し入れされるＣＤ２を保持できる位置に位置付けられる。【０１２１】
マイコン５４は、図４１に示すように、周知のＲＯＭ９５と、ＲＡＭ９６と、位置付け手段としてのＣＰＵ９７とを備えた演算装置である。マイコン５４は、前述したモータ２０，４１，７９ａなどと接続して、即ち、操作部とディスク搬送部４とディスク再生部５と分離機構７に接続して、これらの動作を制御して、ＣＤチェンジャ１全体の制御をつかさどる。【０１２２】
ＲＯＭ９５は、ＣＰＵ９７の動作プログラムなどを記憶している。ＲＡＭ９６は、ＣＰＵ９７の演算実行時に必要なデータを一時的に保持する。ＣＰＵ９７は、ＲＯＭ９５に記憶された動作プログラムや操作部からの命令及び前述したスイッチの検出結果に基づいて、前述した各モータ２０，４１，７９ａを制御する。【０１２３】
前述した構成のＣＤチェンジャ１は、機器本体３内に収容した複数のＣＤ２のうち前述した操作部などにより任意に選択された一つのＣＤ２の情報を読み出す際には、ＣＰＵ９７がディスク搬送部４とディスク再生部５と分離機構７などを以下に示すように制御する。【０１２４】
まず、図１６に示すように、モータ２０の駆動力によりすべての保持トレイ１９の突起２９を第２壁２７ｂ上の水平部Ａ（図１４、図１６及び図１７などに示す）上に位置付けておく。さらに、ディスク再生部５の揺動シャーシ１７の他端部１７ｂ即ちターンテーブル７４とピックアップ部７５を、複数のＣＤ２間から退避させておく。【０１２５】
また、図４１、図４５及び図４６に示すように、モータ７９ａを制御して、光ピックアップ６６のレンズ７８にクリーニング部材９４を重ねておく。即ち、ＣＰＵ９７は、光ピックアップ６６がＣＤ２からの情報の読み出しを停止している（光ピックアップ６６の読み出し停止）時でかつディスク検知アーム９２が光ピックアップ６６に対して停止している際に、クリーニング部材９４が光ピックアップ６６のレンズ７８に重なる位置に、光ピックアップ６６を位置付けて置く。さらに、ディスク検知アーム９２のカム突起９３が、図４１に示すように、第２のスライドシャーシ６２のカム溝５６の揺動シャーシ１７の他端部１７ｂ寄りの直線部５７内に位置する。即ち、ディスク検知アーム９２の他端部９２ｂは、図３９及び図４６に示すように、ＣＤ２の外縁部と間隔をあけている。【０１２６】
また、駆動源としてのモータ４１の駆動力により、図３１に示すように、第１突起４３が第１孔４４の第１平行部４９内に位置する位置に駆動シャーシ４２を位置付ける。そして、図１６に示すように、移動シャーシ１８を回転部材２５の第２壁２７ａから最も遠ざけておく。【０１２７】
そして、駆動源としてのモータ４１を動作させて、図３２に示すように、第２突起４５が第２孔４６の第２傾斜部５１内を移動して、情報が読み出される任意に選択された一つのＣＤ２を保持した保持トレイ１９の突起２９が案内溝３１に矢印Ｋに対し直交する方向に沿って相対する位置に、駆動シャーシ４２を位置付ける。そして、図７及び図１７に示すように、カム部材２４の案内溝３１の開口部３２を、矢印Ｋに対し直交する方向に沿って、情報が読み出される任意に選択された一つのＣＤ２を保持した一つの保持トレイ１９の突起２９と相対させる。なお、図７及び図１７では、図中上から四つ目の保持トレイ１９の突起２９とカム部材２４に設けられた案内溝３１とを相対させている。【０１２８】
そして、モータ２０を動作させて、回転部材２５と移動部材２６及びカム部材２４を一体に回転させる。そして、すべての保持トレイ１９の突起２９が、連結壁２８から徐々に離れる。すると、図１８に示すように、情報が読み出される任意に選択された一つのＣＤ２を保持した保持トレイ１９の突起２９が、案内溝３１の開口部３２に侵入する。さらに、他のＣＤ２を保持した保持トレイ１９の突起２９が、カム部材２４のくさび部３０に接触するとともに、くさび部３０などにより、第１及び第２離間溝３９，４０内を移動する。【０１２９】
さらに、モータ２０を動作させて、回転部材２５と移動部材２６及びカム部材２４を一体に回転させると、図１９に示すように、情報が読み出される任意に選択された一つのＣＤ２を保持した保持トレイ１９の突起２９がローディング部３３内に位置する。【０１３０】
その後、図２０に示すように、前述した一つのＣＤ２を保持した保持トレイ１９の突起２９が案内溝３１のピックアップ侵入部３４内に位置する。さらに、モータ２０の駆動力により、第１のスライドシャーシ６１と第２のスライドシャーシ６２とが揺動シャーシ１７の長手方向に沿ってスライドする。すると、カム突起９３が、図４２に示すように、傾斜部５８に向かってカム溝５６内を移動する。【０１３１】
そして、カム突起９３が揺動シャーシ１７の他端部１７ｂ寄りの傾斜部５８内を移動すると、他端部９２ｂがＣＤ２の外縁部に近づく方向に、ディスク検知アーム９２が回転する。すると、クリーニング部材９４が、レンズ７８と摺接して、該レンズ７８に付着した異物を除去する。そして、図４０、図４３及び図４７に示すように、ディスク検知アーム９２の他端部９２ｂがＣＤ２の外縁部に接触する。そして、前述したスイッチの検出結果により、前述した一つの保持トレイ１９にＣＤ２が保持されていると判定すると、モータ２０を動作させて、更に第２のスライドシャーシ６２を揺動シャーシ１７の他端部１７ｂに向けて移動する。【０１３２】
このとき、スイッチの検出結果により、前述した一つの保持トレイ１９にＣＤ２が保持されていないと判定すると、即ち、ディスク検知アーム９２の他端部９２ｂが図４０及び図４７中の二点鎖線で示す位置まで変位したと判定すると、モータ２０を逆方向に動作させて、第２のスライドシャーシ６２を揺動シャーシ１７の一端部１７ａに向けて移動して、ＣＤ２の再生動作を停止する。【０１３３】
モータ２０を動作させて、更に第２のスライドシャーシ６２を揺動シャーシ１７の他端部１７ｂに向けて移動すると、カム突起９３が揺動シャーシ１７の一端部１７ａ寄りの傾斜部５８内を移動して、更に揺動シャーシ１７の一端部１７ａ寄りの直線部５７内に位置付けられる。すると、図４４及び図４８に示すように、他端部９２ｂがＣＤ２の外縁部から離れる方向にディスク検知アーム９２が回転して、ディスク検知アーム９２の他端部９２ｂがＣＤ２の外縁部と間隔をあける。そして、クリーニング部材９４が光ピックアップ６６のレンズ７８に重なる。【０１３４】
さらに、モータ２０を動作させると、揺動シャーシ１７が、一端部１７ａを中心として回転して、他端部１７ｂ即ちターンテーブル７４とピックアップ部７５が前述した一つのＣＤ２と他のＣＤ２との間に侵入する。【０１３５】
そして、前述した一つのＣＤ２を保持した保持トレイ１９の突起２９が、第１連結部３５内を通り、図２１に示すように、クランプ部３６内に位置する。このとき、ディスク再生部５のターンテーブルが前述した一つのＣＤ２をクランプする。この後、図１５に示す保持トレイ１９上の係止爪８６，８７，８９がフランジ部８５より外側に退避する。そして、前述した一つのＣＤ２を保持した保持トレイ１９の突起２９が、第２連結部３７内を通り、図８及び図２２に示すように、再生部３８内に位置する。【０１３６】
さらに、前述した一つのＣＤ２の矢印Ｋ１側に位置するＣＤ２を保持した保持トレイ１９の突起２９が、カム部材２４のくさび部３０により第１離間溝３９の奥即ち連結壁２８から離れた側に移動する。さらに、前述した一つのＣＤ２の矢印Ｋ２側に位置するＣＤ２を保持した保持トレイ１９の突起２９が、カム部材２４のくさび部３０により第２離間溝４０の奥即ち連結壁２８から離れた側に移動する。【０１３７】
そして、図８及び図２２に示すように、カム部材２４のくさび部３０に設けられた案内溝３１により、前述した一つのＣＤ２を保持した保持トレイ１９が位置決めされる。さらに、カム部材２４のくさび部３０と、移動シャーシ１８及び第２壁２７とにより即ち第１及び第２離間溝３９，４０により、前述した一つのＣＤ２を保持した保持トレイ１９を他の保持トレイ１９から離す。さらに、他の保持トレイ１９を、第１及び第２離間溝３９，４０により、位置決めする。【０１３８】
さらに、前述した一つのＣＤ２を保持した保持トレイ１９の突起２９が再生部３８内に位置すると、該保持トレイ１９が、ディスク再生部５のターンテーブル７４によりクランプされたＣＤ２から遠ざけられる。そして、保持トレイ１９にＣＤ２の回転が妨げられることが防止される。ターンテーブル７４がクランプしたＣＤ２を回転するとともに、ピックアップ部７５の光ピックアップ６６がＣＤ２の所望の位置から情報を読み出す。前述した一つのＣＤ２からの情報の読み出しを停止する際には、モータ２０の駆動力により、回転部材２５と移動部材２６及びカム部材２４を先ほどと逆向きに回転する。【０１３９】
前述したように、分離機構７は、カム部材２４を矢印Ｋに沿って移動して、第１離間溝３９の溝幅と第２離間溝４０の溝幅とを連動して拡縮することで、所望のＣＤ２を保持した保持トレイ１９を位置決めするとともに他の保持トレイ１９から離す。このように、分離機構７は、一つのＣＤ２を保持した保持トレイ１９と他の保持トレイ１９とを、矢印Ｋに沿って、離間する。【０１４０】
例えば、図２３に示すように、図中下から二番目のＣＤ２を保持した保持トレイ１９を再生位置に位置付ける際や、図２４に示すように、図中上から二番目のＣＤ２を保持した保持トレイ１９を再生位置に位置付ける際も同様である。なお、図２３及び図２４に示す状態では、図３３及び図３４に示すように、第１突起４３が第１平行部４９内に位置するとともに、第２突起４５が第２傾斜部５１内に位置する。【０１４１】
また、前述した構成のＣＤチェンジャ１は、操作部などに命令により、機器本体３内に収容した複数のＣＤ２のうち任意に選択された一つのＣＤ２を機器本体３外に排出したり、ＣＤ２を機器本体３内に挿入して任意に選択された一つの保持トレイ１９に保持させる際には、ＣＰＵ９７がディスク搬送部４とディスク再生部５と分離機構７などを以下に示すように制御する。まず、図６、図９及び図２５に示すように、モータ２０の駆動力によりすべての保持トレイ１９の突起２９を第２壁２７ｂ上の水平部Ａ上に位置付けておく。さらに、ディスク再生部５の揺動シャーシ１７の他端部１７ｂ即ちターンテーブル７４とピックアップ部７５を、複数のＣＤ２間から退避させておく。さらに、このときも勿論、光ピックアップ６６のレンズ７８にクリーニング部材９４を重ねておく。【０１４２】
そして、図３５に示すように、駆動源としてのモータ４１の駆動力により第２突起４５が第２孔４６の第２平行部５２内に位置する位置に駆動シャーシ４２を位置付ける。そして、図６、図９及び図２５に示すように、カム部材２４を回転部材２５の第２壁２７に最も近づけておく。【０１４３】
そして、駆動源としてのモータ４１の駆動力により、図３６に示すように、第１突起４３が第１孔４４の第１傾斜部５０内を移動して、機器本体３内に挿入されたＣＤ２を保持する又は保持したＣＤ２を機器本体３外に排出する一つの保持トレイ１９の突起２９が案内溝３１の開口部３２に矢印Ｋに対し直交する方向に沿って相対する位置に、駆動シャーシ４２を位置付ける。【０１４４】
そして、図６、図９及び図２６に示すように、カム部材２４の案内溝３１を、矢印Ｋに対し直交する方向に沿って、前述した一つの保持トレイ１９の突起２９と相対させる。なお、図６、図９及び図２６では、図中上から四つ目の保持トレイ１９の突起２９とカム部材２４に設けられた案内溝３１とを相対させている。【０１４５】
そして、モータ２０の駆動力により、回転部材２５と移動部材２６及びカム部材２４を一体に回転させる。そして、すべての保持トレイ１９の突起２９が、連結壁２８から徐々に離れる。すると、図２７に示すように、前述した一つの保持トレイ１９の突起２９が、案内溝３１の開口部３２に侵入する。さらに、前述した他の保持トレイ１９の突起２９が、カム部材２４のくさび部３０に接触するとともに、くさび部３０などにより、第１及び第２離間溝３９，４０内を移動する。【０１４６】
さらに、モータ２０の駆動力により、回転部材２５と移動部材２６及びカム部材２４を一体に回転させると、図１０及び図２８に示すように、前述した一つの保持トレイ１９の突起２９が、案内溝３１のローディング部３３内に位置する。さらに、前述した他の保持トレイ１９の突起２９が、カム部材２４のくさび部３０により第１離間溝３９及び第２離間溝４０の奥即ち連結壁２８から離れた側に移動する。【０１４７】
そして、図１０及び図２８に示すように、カム部材２４のくさび部３０に設けられた案内溝３１により、前述した一つの保持トレイ１９がローディング位置に位置決めされる。さらに、カム部材２４のくさび部３０と移動シャーシ１８及び第２壁２７とにより即ち第１及び第２離間溝３９，４０により、前述した一つの保持トレイ１９を他の保持トレイ１９から離す。さらに、第１及び第２離間溝３９，４０により、他の保持トレイ１９を位置決めする。【０１４８】
そして、駆動源としてのモータ４１の駆動力によりローラ１４がＣＤ２を出し入れする方向に応じて回転する。ローラ１４が回転することで、挿入口１０を通して機器本体３内にＣＤ２の出し入れが行われる。ＣＤ２を挿入する際には、ＣＤ２がローラ１４から離れた後、ディスク検知アーム９２の他端部９２ｂでＣＤ２を押し込む。ＣＤ２を排出する際には、図示しないＥＪアームでＣＤ２を挿入口１０に向かって押し出して、ローラ１４にくわえ込ませる。前述したＣＤ２の出し入れを停止する際には、ローラ１４の回転を停止するとともに、モータ２０の駆動力により、回転部材２５と移動部材２６及びカム部材２４を先ほどと逆向きに回転する。【０１４９】
前述したように、カム部材２４を矢印Ｋに沿って移動することで、第１離間溝３９の溝幅と第２離間溝４０の溝幅とを連動して拡縮することで、所望の保持トレイ１９をローディング位置に位置決めするとともに他の保持トレイ１９から離す。例えば、図２９に示すように、図中上から二番目の保持トレイ１９をローディング位置に位置付ける際や、図３０に示すように、図中下から二番目の保持トレイ１９をローディング位置に位置付ける際も同様である。なお、図２９及び図３０に示す状態では、図３７及び図３８に示すように、第２突起４５が第２平行部５２内に位置するとともに、第１突起４３が、第１傾斜部５０内に位置する。【０１５０】
本実施例によれば、ディスク検知アーム９２にクリーニング部材９４を取り付けて、該ディスク検知アーム９２の移動中に（則ち情報を読み出すための準備動作のためのディスク検知アーム９２の移動を利用することにより）、クリーニング部材９４をレンズ７８に摺接させて、該レンズ７８から異物を除去する。このため、レンズ７８から異物を除去するために、ＣＤチェンジャ１と別体の専用のクリーニングカセットなどを設ける必要がなくなる。【０１５１】
また、ディスク検知アーム９２の移動中にクリーニング部材９４がレンズ７８から異物を除去するので、前述したクリーニングカセットや内蔵したクリーニング装置などを用いて、レンズ７８から異物を除去する工程を専用に行う必要がなくなる。即ち、レンズ７８から異物を除去する際に、他の装置を全て停止する必要がなくなる。【０１５２】
したがって、クリーニング部材９４などの手段の保管にかかるスペースが増加することを防止でき、かつレンズ７８からの異物の除去にかかる手間や時間が増加することを防止できる。【０１５３】
また、クリーニング部材９４を不織布で構成している。このため、クリーニング部材９４に付着した異物は、クリーニング部材９４を構成する繊維間にとらえられることとなる。したがって、クリーニング部材９４に一旦付着した異物は、再度、クリーニング部材９４から脱落しにくくなる。【０１５４】
したがって、ディスク検知アーム９２が停止している間にクリーニング部材９４をレンズ７８に重ねる位置に、光ピックアップ６６を位置付けても、クリーニング部材９４からレンズ７８に異物が移ることを防止できる。さらに、クリーニング部材９４をレンズ７８に重ねているので、レンズ７８に外部（クリーニング部材９４以外）からの異物が付着することを防止できる。【０１５５】
任意に選択されたＣＤ２を保持した保持トレイ１９の突起２９を案内溝３１に係合させる。選択された保持トレイ１９の矢印Ｋ１側（上方）の他の保持トレイ１９の突起２９を第１離間溝３９に係合させ、かつ矢印Ｋ２側（下方）の他の保持トレイ１９の突起２９を第２離間溝４０に係合させる。こうして、突起２９を案内溝３１と第１離間溝３９と第２離間溝４０に係合させて、選択されたＣＤ２を他のＣＤ２から離して、選択されたＣＤ２から情報を読み出す。【０１５６】
また、離間溝拡縮機構２１により、第１及び第２離間溝３９，４０の溝幅が互いに連動して（相対的に）変化するとともに、第１離間溝３９の溝幅と第２離間溝４０の溝幅の和が保持トレイ１９の数から１を引いて得られた数と突起２９の幅との積に略等しい。このため、がたつくことなく、前述した選択されたＣＤ２を保持した保持トレイ１９と、他の保持トレイ１９を位置決めできる。【０１５７】
このため、コイルばねを設けることなく、離間溝拡縮機構２１が第１及び第２離間溝３９，４０の溝幅を連動して（相対的に）変化することで、選択された任意のＣＤ２を保持した保持トレイ１９を、他の保持トレイ１９から離すことができる。これにより、ＣＤチェンジャ１が自動車などに搭載されて、走行中などの振動が作用しても、保持トレイ１９が振動することを防止できる。したがって、確実に任意に選択されたＣＤ２を保持した保持トレイ１９を確実に再生位置に位置付けることができる。自動車などに搭載されて、走行中などの振動が作用しても、任意に選択されたＣＤ２の情報を確実に再生することができる。【０１５８】
離間溝拡縮機構２１が、移動部材２６と、この移動部材２６に矢印Ｋに沿って移動自在に設けられたカム部材２４とを備えている。移動部材２６に取り付けられた移動シャーシ１８とカム部材２４のくさび部３０との間が第１離間溝３９を形成し、移動部材２６の第２壁２７とカム部材２４のくさび部３０との間が第２離間溝４０を形成し、カム部材２４のくさび部３０に案内溝３１が形成されている。【０１５９】
このため、カム部材２４を矢印Ｋに沿ってスライドすることで、第１及び第２離間溝３９，４０の溝幅を確実に連動して（相対的に）変化できる。さらに、任意に選択された情報が再生されるＣＤ２を保持した保持トレイ１９の位置に応じて、カム部材２４がスライドする。したがって、確実に任意に選択されたＣＤ２を保持した保持トレイ１９を確実に再生位置に位置付けることができる。【０１６０】
カム部材２４と光ピックアップ６６とが一体に（連動して）移動するので、カム部材２４と光ピックアップ６６との相対的な位置が常に一定に保たれる。このため、カム部材２４に設けられた案内溝３１により再生位置に位置決めされた保持トレイ１９に保持されたＣＤ２から光ピックアップ６６で情報を確実に再生することができる。【０１６１】
ＣＤ２から情報を読み出す際には、移動部材２６を矢印Ｋ１側に移動させて、選択された情報を再生するＣＤ２を保持した保持トレイ１９の位置に応じて、カム部材２４をスライドさせる。このため、ＣＤ２から情報を読み出す際には、任意のＣＤ２を再生位置に位置付けることができる。したがって、任意のＣＤ２から情報を読み出して再生できる。【０１６２】
また、ＣＤ２を出し入れする際には、カム部材２４を矢印Ｋ２側に移動させて、このカム部材２４の位置と出し入れするＣＤ２に対応した保持トレイ１９の位置に応じて、移動部材２６をスライドさせる。このため、機器本体３に出し入れされるＣＤ２を保持する又は保持した保持トレイ１９と機器本体３との相対的な位置を一定に保つことができる。このため、ＣＤ２を挿入口１０内を通して確実に出し入れすることができるとともに、機器本体３内に挿入されたＣＤ２を保持トレイ１９に確実に保持できる。【０１６３】
また、連動移動機構２２により、保持トレイ１９を収容位置と再生位置とに亘って移動することと、保持トレイ１９をローディング位置に位置決めすることを一連の動作で行うことができる。このため、部品点数の削減とコストの低減を図ることができる。さらに、保持トレイ１９を収容位置と再生位置とに亘って移動する状態とＣＤ２を出し入れする状態とをスムーズに切り換えることができる。【０１６４】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。【０１６５】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１８即ちカム部材２４が、スライドせずに、位置決めされる。さらに、ＣＤ２を出し入れする際には、ディスク収容部６の移動シャーシ１８と移動部材２６即ち保持トレイ１９が、矢印Ｋに沿って移動する。【０１６６】
このため、機器本体３に出し入れされるＣＤ２を保持する又は保持した保持トレイ１９と機器本体３との相対的な位置を一定に保つことができる。したがって、挿入口１０内を通して、ＣＤ２を確実に出し入れすることができるとともに、機器本体３内に挿入したＣＤ２を保持トレイ１９に確実に保持できる。【０１６７】
保持トレイ１９を収容位置と再生位置とに亘って移動する際には、第１突起４３が第１平行部４９内を移動し、第２突起４５が第２傾斜部５１内を移動する。これにより、保持トレイ１９を収容位置と再生位置とに亘って移動する際には、ディスク収容部６の移動シャーシ１８と移動部材２６即ち保持トレイ１９を、スライドせずに位置決めできる。さらに、保持トレイ１９を収容位置と再生位置とに亘って移動する際には、ディスク再生部５の移動シャーシ１６即ちカム部材２４が、矢印Ｋに沿って移動する。【０１６８】
このため、ＣＤ２から情報を読み出す際には、任意のＣＤ２を再生位置に確実に位置決めすることができる。したがって、任意のＣＤ２から情報を読み出して再生できる。【０１６９】
移動部材２６が円管状に形成され、カム部材２４が円管状に形成されている。移動シャーシ１８と第２壁２７ｂは移動部材２６の両縁に設けられている。移動部材２６とカム部材２４と回転部材２５は、同軸に配され、モータ２０の駆動力により一体に回転する。このように、移動部材２６とカム部材２４と回転部材２５を回転することで、保持トレイ１９を収容位置と再生位置とに亘って移動できる。したがって、移動部材２６とカム部材２４と回転部材２５の移動軌跡を最小限にすることができ、機器本体３即ちＣＤチェンジャ１の小型化を図ることができる。【０１７０】
さらに、カム部材２４と移動部材２６とを矢印Ｋに沿ってスライドすることを単一のモータ４１で行っている。このため、部品点数を抑制でき、ＣＤチェンジャ１の小型化と低コスト化を図ることができる。
【実施例２】
【０１７１】
次に、本発明の第２の実施例にかかるＣＤチェンジャ１を図４９ないし図５９に基づいて説明する。なお、前述した第１の実施例と同一部分には、同一符号を付して説明を省略する。【０１７２】
本実施例では、クリーニング部材９４は、図５４ないし図５９に示すように、ブラシ状に形成されている。クリーニング部材９４は、光ピックアップ６６のレンズ７８と相対する端が複数（多数）に分離され、かつ光ピックアップ６６のレンズ７８から放れた端が一体となった格好のブラシ状に形成されている。【０１７３】
さらに、本実施例では、ＣＰＵ９７は、光ピックアップ６６がＣＤ２からの情報の読み出しを停止している（光ピックアップ６６の読み出し停止）時でかつディスク検知アーム９２が光ピックアップ６６に対して停止している際には、図４９及び図５４に示すように、クリーニング部材９４が光ピックアップ６６のレンズ７８に重ならない位置に、光ピックアップ６６を位置付けておく。即ち、ＣＰＵ９７は、光ピックアップ６６がＣＤ２からの情報の読み出しを停止している（光ピックアップ６６の読み出し停止）時でかつディスク検知アーム９２が光ピックアップ６６に対して停止している際には、図４９及び図５４に示すように、クリーニング部材９４が光ピックアップ６６のレンズ７８と間隔をあける位置に、光ピックアップ６６を位置付けておく。【０１７４】
また、本実施例のＣＤチェンジャ１は、ＣＰＵ９７がディスク再生部５などを以下に示すように制御して、操作部などにより任意に選択された一つのＣＤ２を再生する。【０１７５】
予め、図４９及び図５４に示すように、モータ２０を制御して、レンズ７８をクリーニング部材９４から間隔をあける位置に光ピックアップ６６を位置付けておく。そして、モータ２０の駆動力により、第２のスライドシャーシ６２を揺動シャーシ１７の長手方向に沿ってスライドさせるとともに、モータ７９ａの駆動力により、レンズ７８がクリーニング部材９４に重なる位置に光ピックアップ６６を移動する。すると、カム突起９３が、図５０に示すように、斜部５８に向かってカム溝５６内を移動するとともに、図５０、図５５及び図５６に示すようにレンズ７８にクリーニング部材９４が重なる。【０１７６】
そして、カム突起９３が揺動シャーシ１７の他端部１７ｂ寄りの傾斜部５８内を移動すると、他端部９２ｂがＣＤ２の外縁部に近づく方向に、ディスク検知アーム９２が回転する。すると、クリーニング部材９４が、レンズ７８と摺接して、該レンズ７８に付着した異物を除去する。そして、図５１及び図５７に示すように、ディスク検知アーム９２の他端部９２ｂがＣＤ２の外縁部に接触する。そして、前述したスイッチの検出結果により、前述した一つの保持トレイ１９にＣＤ２が保持されていると判定すると、モータ２０を動作させて、更に第２のスライドシャーシ６２を揺動シャーシ１７の他端部１７ｂに向けて移動する。【０１７７】
このとき、スイッチの検出結果により、前述した一つの保持トレイ１９にＣＤ２が保持されていないと判定すると、即ち、ディスク検知アーム９２の他端部９２ｂが図５７中の二点鎖線で示す位置まで変位したと判定すると、モータ２０を逆方向に動作させて、第２のスライドシャーシ６２を揺動シャーシ１７の一端部１７ａに向けて移動して、ＣＤ２の再生動作を停止する。【０１７８】
モータ２０を動作させて、更に第２のスライドシャーシ６２を揺動シャーシ１７の他端部１７ｂに向けて移動すると、カム突起９３が揺動シャーシ１７の一端部１７ａ寄りの傾斜部５８内を移動して、更に揺動シャーシ１７の一端部１７ａ寄りの直線部５７内に位置付けられる。さらに、モータ７９ａを動作させて、図５２に示すように、レンズ７８がクリーニング部材９４と間隔をあける位置に光ピックアップ６６を位置付ける。【０１７９】
すると、図５３及び図５８に示すように、他端部９２ｂがＣＤ２の外縁部から離れる方向にディスク検知アーム９２が回転して、ディスク検知アーム９２の他端部９２ｂがＣＤ２の外縁部と間隔をあける。そして、図５３及び図５９に示すように、クリーニング部材９４が光ピックアップ６６のレンズ７８と間隔をあける。【０１８０】
さらに、モータ２０を動作させると、揺動シャーシ１７が、一端部１７ａを中心として回転して、他端部１７ｂ即ちターンテーブル７４とピックアップ部７５が前述した一つのＣＤ２と他のＣＤ２との間に侵入する。そして、前述した第１の実施例と同様にピックアップ部７５がＣＤ２の情報を読み出して音声として出力する。【０１８１】
本実施例によれば、第１の実施例と同様に、ディスク検知アーム９２にクリーニング部材９４を取り付けて、該ディスク検知アーム９２の移動中に（則ち情報を読み出すための準備動作のためのディスク検知アーム９２の移動を利用することにより）、クリーニング部材９４をレンズ７８に摺接させて、該レンズ７８から異物を除去する。したがって、クリーニング部材などの手段の保管にかかるスペースが増加することを防止でき、かつレンズ７８からの異物の除去にかかる手間や時間が増加することを防止できる。【０１８２】
また、クリーニング部材９４をブラシ状に形成しているので、該クリーニング部材９４がレンズ７８から確実に異物を除去できる。また、移ディスク検知アーム９２が停止している間にレンズ７８がクリーニング部材９４から間隔をあける位置に、光ピックアップ６６を位置付ける。このように、ブラシ状に形成されて、付着した異物が脱落しやすいクリーニング部材９４から光ピックアップ６６を退避させるので、クリーニング部材９４に付着した異物が再度レンズ７８に付着することを確実に防止できる。【０１８３】
前述した実施例では、ディスク形記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital Versatile Disc）などの他のディスク形記録媒体を複数収容する記録媒体再生装置に適用しても良い。さらに、本発明は、前述したＭＤやＤＶＤなどの記録媒体を１枚だけ収容して、収容した１枚の記録媒体の情報を読み出す記録媒体再生装置に適用しても良いことは勿論である。【０１８４】
また、前述した実施例では、ディスク検知アーム９２にクリーニング部材９４を取り付けている。しかしながら、本発明では、ディスク検知アーム９２以外にクリーニング部材９４を取り付けても良い。例えば、機器本体と、機器本体に出し入れ自在でかつ記録媒体を保持するとともに該記録媒体から情報を読み出す情報読み取りユニットを内蔵したトレーとを備えた記録媒体再生装置において、前記機器本体の内面などにクリーニング部材を取り付けても良い。このとき、機器本体の内面は、トレーが出し入れされる際（即ち情報読み取りユニットが記録媒体から情報を読み出す時以外の（光ピックアップ６６の停止）時）に、情報読み取りユニットに倒して相対的に移動する移動部材をなしている。そして、トレーを出し入れする際に、クリーニング部材が、情報読み取りユニットの読み取り部と摺接して、該読み取り部から異物を除去する。要するに、本発明では、情報読み取りユニットが記録媒体から情報を読み出す時以外の（光ピックアップ６６の停止）時に、情報読み取りユニットに対して相対的に移動する移動部材にクリーニング部材を取り付ければ良い。【０１８５】
また、前述した実施形態では、光ピックアップ６６の読み出し停止時に、前記情報を読み出すための準備動作としてのＣＤ２の有無の確認を行うディスク検知アーム９２の移動を利用することによりレンズ７８から異物を除去している。しかしながら、本発明では、ディスク検知アーム９２に限定することなく記録媒体からの情報を読み出すための準備動作を行う際に移動する種々の部品にクリーニング部材９４を取り付けても良い。【０１８６】
さらに、前述した実施例では、情報読み取りユニットとして、読み取り部としてのレンズ７８を備えた光ピックアップ６６を示している。しかしながら、本発明は、例えば、読み取り部としての磁気ヘッドを備えた磁気読み取り装置などの種々の情報読み取りユニットを備えた記録媒体再生装置に適用しても良い。要するに、本発明では、種々の情報読み取りユニットの読み取り部から異物を除去しても良い。【０１８７】
また、前述した実施例では、カム部材２４と回転部材２５と移動部材２６等を円柱状に形成し、軸芯周りに回転することで、これらを移動している。しかしながら、本発明では、カム部材２４と回転部材２５と移動部材２６等を例えば板状などの円管及び円管状以外の形状に形成し、例えば、スライドなどの軸芯周りの回転以外の方向にこれらを移動しても良い。【０１８８】
さらに、前述した実施例では、カム部材２４と光ピックアップ６６とを一体に移動している。しかしながら、本発明では、カム部材２４と光ピックアップ６６とを必ずしも一体に移動しなくても良い。要するに、本発明では、カム部材２４と光ピックアップ６６とを連動させて移動することで、これらの相対的な位置間隔を一定に保つことができれば良い。【０１８９】
また、前述した実施例では、連動移動機構２２により、カム部材２４の移動と、移動部材２６の移動とを、一つの駆動源により行えるようにしている。しかしながら、本発明では、カム部材２４の移動と、移動部材２６の移動とを、互いに独立した駆動源により行っても良い。【０１９０】
前述した実施例によれば、以下のＣＤチェンジャ１が得られる。【０１９１】
（付記１）  ＣＤ２の情報記録面と相対するレンズ７８を有して、前記ＣＤ２の情報を読み出す光ピックアップ６６と、
前記光ピックアップ６６の読み出し停止時に、光ピックアップ６６に対して相対的に移動するディスク検知アーム９２と、
を備えたＣＤチェンジャ１において、
前記ディスク検知アーム９２に取り付けられて、該ディスク検知アーム９２が前記光ピックアップ６６に対して相対的に移動する際に、前記レンズ７８に摺接して、該レンズ７８に付着した異物を除去するクリーニング部材９４を備えたことを特徴とするＣＤチェンジャ１。【０１９２】
（付記２）  前記クリーニング部材９４が、不織布で構成され、
前記光ピックアップ６６が前記ＣＤ２からの情報の読み出しを停止している時でかつ前記ディスク検知アーム９２が前記光ピックアップ６６に対して相対的に停止している際に、前記クリーニング部材９４が前記レンズ７８に重なる位置に、前記光ピックアップ６６を位置付けるＣＰＵ９７を備えたことを特徴とする付記１記載のＣＤチェンジャ１。【０１９３】
（付記３）  前記クリーニング部材９４が、ブラシ状に形成され、
前記光ピックアップ６６が前記ＣＤ２からの情報の読み出しを停止している時でかつ前記ディスク検知アーム９２が前記光ピックアップ６６に対して相対的に停止している際に、前記レンズ７８が前記クリーニング部材９４と間隔をあける位置に、前記光ピックアップ６６を位置付けるＣＰＵ９７を備えたことを特徴とする付記１記載のＣＤチェンジャ１。【０１９４】
（付記４）  ＣＤ２の情報記録面と相対するレンズ７８を有して、前記ＣＤ２の情報を光ピックアップ６６と、
前記光ピックアップ６６の読み出し停止時に、前記ＣＤ２の有無の確認を行うディスク検知アーム９２と、
を備えたＣＤチェンジャ１であって、
前記ディスク検知アーム９２に取り付けられたクリーニング部材９４を有し、
前記ＣＤ２の有無の確認を行うための前記ディスク検知アーム９２の移動を利用することにより前記クリーニング部材９４が前記レンズ７８に摺接して該レンズ７８に付着した異物を除去することを特徴とするＣＤチェンジャ１。【０１９５】
付記１によれば、ディスク検知アーム９２にクリーニング部材９４を取り付けて、該ディスク検知アーム９２の移動中に（則ち情報を読み出すための準備動作のためのディスク検知アーム９２の移動を利用することにより）、クリーニング部材９４をレンズ７８に摺接させて、該レンズ７８から異物を除去する。このため、レンズ７８から異物を除去するために、ＣＤチェンジャ１と別体の専用のクリーニングカセットなどを設ける必要がなくなる。【０１９６】
なお、前述した実施例は本発明の代表的な形態を示したに過ぎず、本発明は、実施例に限定されるものではない。即ち、本発明の骨子を逸脱しない範囲で種々変形して実施することができる。
【図１】
2006106819.tif 000002
【図２】
2006106819.tif 000003
【図３】
2006106819.tif 000004
【図４】
2006106819.tif 000005
【図５】
2006106819.tif 000006
【図６】
2006106819.tif 000007
【図７】
2006106819.tif 000008
【図８】
2006106819.tif 000009
【図９】
2006106819.tif 000010
【図１０】
2006106819.tif 000011
【図１１】
2006106819.tif 000012
【図１２】
2006106819.tif 000013
【図１３】
2006106819.tif 000014
【図１４】
2006106819.tif 000015
【図１５】
2006106819.tif 000016
【図１６】
2006106819.tif 000017
【図１７】
2006106819.tif 000018
【図１８】
2006106819.tif 000019
【図１９】
2006106819.tif 000020
【図２０】
2006106819.tif 000021
【図２１】
2006106819.tif 000022
【図２２】
2006106819.tif 000023
【図２３】
2006106819.tif 000024
【図２４】
2006106819.tif 000025
【図２５】
2006106819.tif 000026
【図２６】
2006106819.tif 000027
【図２７】
2006106819.tif 000028
【図２８】
2006106819.tif 000029
【図２９】
2006106819.tif 000030
【図３０】
2006106819.tif 000031
【図３１】
2006106819.tif 000032
【図３２】
2006106819.tif 000033
【図３３】
2006106819.tif 000034
【図３４】
2006106819.tif 000035
【図３５】
2006106819.tif 000036
【図３６】
2006106819.tif 000037
【図３７】
2006106819.tif 000038
【図３８】
2006106819.tif 000039
【図３９】
2006106819.tif 000040
【図４０】
2006106819.tif 000041
【図４１】
2006106819.tif 000042
【図４２】
2006106819.tif 000043
【図４３】
2006106819.tif 000044
【図４４】
2006106819.tif 000045
【図４５】
2006106819.tif 000046
【図４６】
2006106819.tif 000047
【図４７】
2006106819.tif 000048
【図４８】
2006106819.tif 000049
【図４９】
2006106819.tif 000050
【図５０】
2006106819.tif 000051
【図５１】
2006106819.tif 000052
【図５２】
2006106819.tif 000053
【図５３】
2006106819.tif 000054
【図５４】
2006106819.tif 000055
【図５５】
2006106819.tif 000056
【図５６】
2006106819.tif 000057
【図５７】
2006106819.tif 000058
【図５８】
2006106819.tif 000059
【図５９】
2006106819.tif 000060
【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
複数の記録媒体を配列して収容する収容部と、
前記複数の記録媒体の配列方向に移動可能なシャーシに設けられ、前記記録媒体の情報記録面と相対する読み取り部を有して、前記記録媒体の情報を読み出す情報読み取りユニットと、前記シャーシに設けられ、前記情報読み取りユニットの読み出し停止時に、情報読み取りユニットに対して相対的に移動する移動部材と、
を備えた記録媒体再生装置において、
前記移動部材に取り付けられて、該移動部材が前記情報読み取りユニットに対して相対的に移動する際に、前記読み取り部に摺接して、該読み取り部に付着した異物を除去するクリーニング部材を備え、
前記クリーニング部材が、ブラシ状に形成され、
前記情報読み取りユニットが前記記録媒体からの情報の読み出しを停止している時でかつ前記移動部材が前記情報読み取りユニットに対して相対的に停止している際に、前記読み取り部が前記クリーニング部材と間隔をあける位置に、前記情報読み取りユニットを位置付ける位置付け手段を備えたことを特徴とする記録媒体再生装置。
【請求項２】
複数の記録媒体を配列して収容する収容部と、
前記複数の記録媒体の配列方向に移動可能なシャーシに設けられ、前記記録媒体の情報記録面と相対する読み取り部を有して、前記記録媒体の情報を読み出す情報読み取りユニットと、
前記シャーシに設けられ、前記情報読み取りユニットの読み出し停止時に、情報読み取りユニットに対して相対的に移動する移動部材と、
を備えた記録媒体再生装置において、
前記移動部材に取り付けられて、該移動部材が前記情報読み取りユニットに対して相対的に移動する際に、前記読み取り部に摺接して、該読み取り部に付着した異物を除去するクリーニング部材を備え、
前記移動部材が、前記複数の記録媒体のうちいずれか一の記録媒体が前記収容部に収容されているか否かを検出する際に、前記一の記録媒体の外縁部と間隔をあける位置から前記外縁部に当接する位置まで移動することで、前記画像読み取りユニットに対して相対的に移動することを特徴とする記録媒体再生装置。
【手続補正２】
【補正対象書類名】明細書
【補正対象項目名】０００２
【補正方法】変更
【補正の内容】
【０００２】
保管にかかるスペースが増加する傾向であった。
［０００７］
また、クリーニングカートリッジを機器本体に挿入して、レンズからの異物の除去を行った後、再度クリーニングカートリッジを機器本体外に排出する必要があった。このように、レンズから異物を除去するためには、クリーニングカートリッジを機器本体に出し入れする必要があり、レンズからの異物を除去する作業にかかる手間や時間が増加する傾向であった。
［０００８］
さらに、記録媒体再生装置がクリーニング装置を内蔵した場合では、レンズから異物を除去する際には、専用のクリーニング装置が動作して、他の装置などを停止させる必要があって、レンズからの異物を除去する作業にかかる時間が増加する傾向であった。
［０００９］
本発明の目的は、例えば、クリーニング手段の保管にかかるスペースが増加することを防止でき、かつ読み取り部からの異物の除去にかかる手間や時間が増加することを防止できる記録媒体再生装置を提供することにある。
［課題を解決するための手段］
［００１０］
前記課題を解決し目的を達成するために、請求項１に記載の本発明の記録媒体再生装置は、複数の記録媒体を配列して収容する収容部と、前記複数の記録媒体の配列方向に移動可能なシャーシに設けられ、前記記録媒体の情報記録面と相対する読み取り部を有して、前記記録媒体の情報を読み出す情報読み取りユニットと、前記シャーシに設けられ、前記情報読み取りユニットの読み出し停止時に、情報読み取りユニットに対して相対的に移動する移動部材と、を備えた記録媒体再生装置において、前記移動部材に取り付けられて、該移動部材が前記情報読み取りユニットに対して相対的に移動する際に、前記読み取り部に摺接して、該読み取り部に付着した異物を除去するクリーニング部材を備え、前記クリーニング部材が、ブラシ状に形成され、前記情報読み取りユニットが前記記録媒体からの情報の読み出しを停止している時でかつ前記移動部材が前記情報読み取りユニットに対して相対的に停止している際に、前記読み取り部が前記クリーニング部材と間隔をあける位置に、前記情報読み取りユニットを位置付ける位置付け手段を備えたことを特徴としている。
［００１１］
【国際調査報告】
2006106819.tif 000061
2006106819.tif 000062
2006106819.tif 000063
2006106819.tif 000064